(57)【要約】      （修正有）【課題】所定の帯により表層だけでなく、中層および下層の金封デザインが確認できるとともに、表層、中層および下層の金封のデザインが立体的に視認されるプリペイドカード用金封セットを提供することを目的とする。【解決手段】同一の結び目模様および同一の十字線模様を同じ位置に配した赤色系色彩、青色系色彩および黄色系色彩の金封とそれを束ねる帯１と透明な袋からなる金封セットにおいて、各十字線の水平線１２は主線１５と主線より明るい明色の下側線１７と主線より暗い暗色の上側線１６とからなり、表層４、中層８および下層１０の金封に従って少なくとも主線の明度が濃くなるとともに、当該帯はその表側の幅が金封の幅の１／４〜１／２であり、かつ、当該帯の右側は表層の金封模様の一部を構成し、その右端は表層の金封模様と連なり、その左側模様は中層および下層の金封模様の一部が並列されていることを特徴とする。【選択図】図２
2016016865.tif 000002
【特許請求の範囲】
【請求項１】
同一の結び目模様および同一の十字線模様を同じ位置に配した少なくとも赤色系色彩、青色系色彩および黄色系色彩の金封とそれらを束ねる帯と透明な袋からなる金封セットにおいて、各十字線の水平線は主線と主線より明るい明色の下側線と主線より暗い暗色の上側線とからなり、表層、中層および下層の金封に従って少なくとも主線の明度が濃くなるとともに、当該帯はその表側の幅が金封の幅の１／４〜１／２であり、かつ、当該帯の右側は表層の金封模様の一部を構成し、その右端は表層の金封模様と連なり、その左側模様は中層および下層の金封模様の一部が並列されていることを特徴とするプリペイドカード用金封セット。  
【請求項２】
上記帯の表側の幅が金封の幅の１／３〜２／５であることを特徴とする請求項１に記載のプリペイドカード用金封セット。
【請求項３】
上記水平線の下側線が白色であることを特徴とする請求項１に記載のプリペイドカード用金封セット。
【請求項４】
上記の各金封の幅が１０〜１１ｃｍおよび高さが１３〜１４ｃｍであることを特徴とする請求項１に記載のプリペイドカード用金封セット。
【発明の詳細な説明】
【技術分野】
【０００１】
本発明は、慶弔時等に用いられるプリペイドカード用金封セット、特にプリペイドカードとともにメッセージを添えて手渡す際に用いられるプリペイドカード用金封セットに関するものである。
【背景技術】
【０００２】
従来から慶弔用品である祝儀袋や、香典用の不祝儀袋等の熨斗袋には金銭を収納する金封が一般的に存在している。中には、誕生日カードを封入して贈り手のメッセージを伝えるようにする金封もある。また、慶弔事にお金を渡す際、水引等の線材により所望形状に形成された結びものを備えてなる金封も周知であり、メッセージも同時に添える機能を果たす祝儀不祝儀袋も多種類のものが存在する。
【０００３】
例えば、折りこんだ紙にお金を入れた袋を入れ、メッセージが記入できるようにしたことを特徴とするメッセージカード付き祝儀、不祝儀袋がある（特開２００６−２９８４７５号公報（後述する特許文献１）。また、商品券として使える祝儀袋の表面に水引を設けたものもある（実登３０８９８１９号公報（後述する特許文献２）。また、金封本体を折り畳み自在に形成し、二つに折り合わされたその見開き面にメッセージカード等の付加価値手段を介して中袋を着脱自在に保持したことを特徴とするメモリアル金封もある（実登３０１７０１５号公報（後述する特許文献３）。
【０００４】
他方、最近では多種多様なプリペイドカードが存在し、印刷技術の発達により様々な色彩や模様が施されたプリペイドカードが出回っている。また、送り手側の趣味感によって、従来のように金銭を送るだけでなく、買物用のプリペイドカードを贈る風潮も育ち始めてきた。このような買物用プリペイドカードの外形寸法は、固定されており、長辺が８５．４０ｍｍまたは８５．８０ｍｍおよび短辺が５３．８３ｍｍまたは５４．０３ｍｍである（ＪＩＳ  ６３１１−１９９６）。図書カードや金銭に類したプリペイドカードが普及してくるとこの外形寸法に合わせて、送り手側から贈る相手や贈る日時に適したプリペイドカード用金封が求められるようになってきた。
【０００５】
しかしながら、これまでの金封は紙幣の大きさに対応しており、また、一枚単位で販売するのが基本であった。そのため買物用プリペイドカードの色合いや贈る相手の趣味感に応じて色彩の異なる複数の金封が選択できるセットものは、市場で見ることができなかった。これは、多種類の金封をひとまとめにセットして透明な収納袋に入れ、販売しようとすると、表層の金封のデザインは見えるものの、中層および下層の金封のデザインは見えにくくなるという課題があるためである。この場合、収納袋の大きさを金封よりも大きくして中層および下層の金封を見えやすくすることも可能である。しかし、大きな収納袋を用いると、重ねた金封が崩れるため、見た目が悪く購買意欲がそがれる結果となる。また、帯を用いて収納袋の表面から多種類のデザインが見えるようにすることも理屈の上からは可能であるが、重なり合った金封を立体的に表現できないため商品価値が著しく下がり、結果的に金封市場から排除されていくという課題があった。
【先行技術文献】
【特許文献】
【０００６】
【特許文献１】特開２００６−２９８４７５号公報
【特許文献２】実登３０８９８１９号公報
【特許文献３】実登３０１７０１５号公報
【発明の概要】
【発明が解決しようとする課題】
【０００７】
本発明は、上記課題に鑑みなされたものであり、所定の帯により表層だけでなく、中層および下層の金封デザインが確認できるとともに、表層、中層および下層の金封のデザインが立体的に視認されるプリペイドカード用金封セットを提供することを目的とする。
【課題を解決するための手段】
【０００８】
上記の課題を解決するための手段として、請求項１に記載の発明は、同一の結び目模様および同一の十字線模様を同じ位置に配した少なくとも赤色系色彩、青色系色彩および黄色系色彩の金封とそれらを束ねる帯と透明な袋からなる金封セットにおいて、各十字線の水平線は主線と主線より明るい明色の下側線と主線より暗い暗色の上側線とからなり、表層、中層および下層の金封に従って少なくとも主線の明度が濃くなるとともに、当該帯はその表側の幅が金封の幅の１／４〜１／２であり、かつ、当該帯の右側は表層の金封模様の一部を構成し、その右端は表層の金封模様と連なり、その左側模様は中層および下層の金封模様の一部が並列されていることを特徴とするプリペイドカード用金封セットである。
【０００９】
また、請求項２に記載の発明は、上記帯の表側の幅が金封の幅の１／３〜２／５であることを特徴とする請求項１に記載のプリペイドカード用金封セットである。  
【００１０】
また、請求項３に記載の発明は、上記水平線の下側線が白色であることを特徴とする請求項１に記載のプリペイドカード用金封セットである。  
【００１１】
また、請求項４に記載の発明は、上記の各金封の幅が１０〜１１ｃｍおよび高さが１３〜１４ｃｍであることを特徴とする請求項１に記載の金封セットである。
【００１２】
本発明において、帯は表層、中層および下層の金封を束ねて収納袋に整列して挿入することができるようにするためである。このとき２か所または４か所に切欠きの入った台紙およびメッセージカードを同封しても整列が乱れることはない。本発明においては、この帯の模様を工夫することにより、表層、中層および下層の金封を垂直方向と同時に水平方向にも錯覚によって浮き上がった立体感を見せることが可能になった。
【００１３】
すなわち、本発明においては、帯の右端を表層の金封模様とそろえることによって帯の右側が表層の金封模様と連なり、帯の右側模様を表層の金封模様と水平方向に錯覚させるようにした。そして、十字線の水平線を主線と主線より明るい明色の下側線と主線より暗い暗色の上側線とからなる３本で構成し、上下方向の錯覚による立体感をもたせた。さらに、中層そして、下層の金封模様を帯の左側に並列に置き、この中層および下層の金封模様に垂直方向の立体感をもたせるため、表層から延びる水平線の主線の明度を順に暗くした。この錯覚的な視覚効果と、３層の金封の厚みによる実際の立体的効果によって垂直方向の立体感をもたせた。さらに異なる色系色彩の金封を重ねることにより、錯覚による立体感はそのままにして垂直方向の実際の立体感をより大きく見せることができる。中層および下層の水平線の主線模様は正方形であることが好ましい。
【００１４】
なお、当然のことながら、表層の上側線の明度は最も暗い下層の主線の明度より暗く、中層および下層の上側線の色彩は表層の上側線の色彩と同一である。また、中層および下層の下側線の色彩は表層の上側線の色彩と同一である。このように上側線と下側線の色彩を表層の色彩と同一にすることにより、上下方向の立体感を垂直方向の立体感より優先した。この結果、かさばる金封セットを左端で束ねた帯の左側が垂直方向に実際に盛り上がることによって、表層の錯覚による水平線が表層、中層および下層の金封をあたかも包み込んでいるかのような錯覚を生じさせるようにした。
【００１５】
また、本発明において、帯の表側の幅が金封の幅の１／３〜２／５であることが好ましい。より好ましくは、各金封の幅が１０〜１１ｃｍおよび高さが１３〜１４ｃｍであることである。買物用プリペイドカードの外形寸法は、長辺が約８６ｍｍおよび短辺が約５４ｍｍであるので、それに最適な金封の形状にするためである。
【００１６】
また、本発明においては、従来と同様に金封セットにプリペイドカードを保持する２か所または４か所に切欠きを入れた台紙およびメッセージカードを封入することができる。切欠きの入った台紙は、買物用プリペイドカードを保持するのに必要であり、買物用プリペイドカードを贈る際にはメモを付けるのが通例だからである。
【発明の実施の形態】
【００１７】
次に、図面を参照して本発明の好適な実施形態について詳細に説明する。なお、全図中、同一又は相当部分には同一符号を付し、重複した説明は省略する。
【００１８】
図１ないし図４は本発明によるプリペイドカード用金封セットの一実施形態を示す図であり、図１は帯（１）を示し、図２ないし図４は各金封の表面模様を示す。なお、これらの帯や各金封を封入する透明な封入袋、並びに、２か所または４か所に切欠きの入った台紙およびメッセージカードの図示は省略した。以下、これらの図に基づいて説明する。
【００１９】
帯（１）は、裏面が各金封の大きさとほぼ同一であり、表面（２）の右側（３）は、赤色系色彩が施された表層金封（４）の金封模様（５）の一部がコピーされている。コピーされた結び目（６’）を表層の結び目（６）と一致させることにより、帯（１）は表層（４）と位置合わせをすることができる。
【００２０】
帯（１）の左側（７）は、青色系色彩が施された中層金封（８）の金封模様（９）および黄色系色彩が施された下層金封（１０）の金封模様（１１）の一部がそれぞれコピーされている。コピーされた青色系色彩が施された金封模様（９’）および黄色系色彩が施された金封模様（１１’）は、表層金封（４）の十字線の水平線（１２）でつながっている。すなわち、右端から左端まで十字線の水平線を見ていくと、まず、表層金封（４）の右側の水平線（１２）が帯（１）の左側（７）の水平線（１２’）でつながっている。続いて、この水平線（１２’）が中層金封（８）の水平線（１３）をコピーしたもの（１３’）および下層金封（１０）の水平線（１４）をコピーしたもの（１４’）につながっている錯覚を起こさせる。
【００２１】
また、表層金封（４）の右側の水平線（１２）は、主線（１５）と上側線（１６）と下側線（１７）とからなる。同様に、中層金封（８）の水平線（１３）は、主線（１８）と上側線（１９）と下側線（２０）とからなり、下層金封（１０）の水平線（１４）は、主線（２１）と上側線（２２）と下側線（２３）とからなる。
【００２２】
これらをコピーした帯（１）の下側線はすべて白色なので、下側線は帯（１）の左端から表層金封（４）の右端まで１本の水平な白線として連なっている。また、これらをコピーした帯（１）の上側線はすべて濃茶色なので、上側線は帯（１）の左端から表層金封（４）の右端まで１本の水平な濃茶色線として連なっている。よって、水平につらなる主線（１５、１８、２１）は、上下の側線によって上下方向に立体感があるように錯覚させる。
【発明の効果】
【００２３】
本発明に係るプリペイドカード用金封セットは、以下の効果を有する。
基本的な効果は、少なくとも３枚の金封を束ねることによる実際の垂直方向の立体感を主線の明度の変化による水平方向の錯誤による立体感と上下側線による上下方向の錯誤による立体感を一体化させ、垂直方向のリアルな立体感を増幅させる視覚的効果が得られることである。これは、かさばる少なくとも３種類の金封を１枚の帯で束ねるので、帯が垂直方向に実際に湾曲する。また、この帯の湾曲部分は、表層、中層および下層の金封に従って主線の明度が濃くなるので、垂直方向の実際の立体感に錯覚による立体感を付加し、より立体的な効果をもたらすことができるからである。また、帯の水平線の上下側線は主線を挟み込んで水平方向に連なっているので、水平方向および上下方向にも同時に錯覚による立体感をもたらすことができるからでもある。
また、赤色系色彩、青色系色彩および黄色系色彩の金封のそれぞれの模様を１枚の帯に表わしたので、一瞥しただけでプリペイドカード用金封の中身を確認することができる。必要であれば、赤色系色彩、青色系色彩または黄色系色彩の金封の種類を増やすことができる。また、中層および下層の金封模様も帯に印刷されているので、贈答用のプリペイドカードを直接並べて色合わせおよび形状合わせをすることができる。
【図面の簡単な説明】
【００２４】
【図１】本発明に係る帯である。
【図２】本発明に係る表層の金封である。
【図３】本発明に係る中層の金封である。
【図４】本発明に係る下層の金封である。
【符号の説明】
【００２５】
１……帯
４……表層金封
８……中層金封
１０……下層金封
１２、１２’、１３、１３’、１４、１４’……水平線
１５、１８、２１  ……主線
１６、１９、２２……上側線
１７、２０、２３……下側線
【図１】
2016016865.tif 000003
【図２】
2016016865.tif 000004
【図３】
2016016865.tif 000005
【図４】
2016016865.tif 000006